(57)【特許請求の範囲】
【請求項１】
車両ディスプレイ用の照明システムであって、
光源と、
前記光源の上に位置決めされたモータと、
前記光源から離間して配置された指示針と、
前記光源と前記指示針の受光部との間に接続された少なくとも一つの光ファイバと
を含み、
前記指示針の受光部は、前記モータの軸から径方向に離間して配置され、
前記少なくとも一つの光ファイバは、前記指示針が動いている間に撓むように位置決めされる照明システム。
【請求項２】
前記光源と前記指示針との間に、前記指示針が前記少なくとも一つの光ファイバを介してのみ前記光源からの光を受けるように位置決めされた光遮蔽をさらに含む請求項１の照明システム。
【請求項３】
前記少なくとも一つの光ファイバの長さは前記指示針の長さよりも長い請求項１又は２の照明システム。
【請求項４】
前記光源に位置決めされたベースをさらに含み、
前記少なくとも一つの光ファイバは、前記ベースに接続された第１端と、前記指示針に接続された第２端とを有し、
前記ベースは、前記光源からの光を受光するべく前記少なくとも一つの光ファイバを保持し、
前記指示針と前記少なくとも一つの光ファイバとの間の接続により前記指示針の受光部に光がもたらされる請求項１から３のいずれか一項の照明システム。
【請求項５】
前記指示針を支承するフレームをさらに含み、
前記モータと前記フレームとを結合する前記軸は少なくとも部分的に中空であり、
前記少なくとも一つの光ファイバからの光が前記軸を通って送られる請求項４の照明システム。
【請求項６】
前記ベースは前記軸の中に保持される請求項５の照明システム。
【請求項７】
前記少なくとも一つの光ファイバは、前記軸を通り、かつ、前記指示針の受光部まで前記フレームに沿って延びる請求項６の照明システム。
【請求項８】
前記少なくとも一つの光ファイバは、前記軸を通り、かつ、前記フレーム内のキャビティを通って前記指示針の受光部まで延びる請求項６の照明システム。
【請求項９】
前記少なくとも一つの光ファイバは、ガラス及びプラスチックの少なくとも一つからなる透明なコアを含み、
前記少なくとも一つの光ファイバは、前記透明なコアを取り囲むコーティング又はクラッディング材料を含み、
前記コーティング又はクラッディング材料は、前記透明なコアよりも屈折率が低い請求項４の照明システム。
【請求項１０】
第２光源と、
第２光ファイバと、
前記指示針の第２受光部と
をさらに含み、
前記第２光ファイバは、前記第２光源と前記指示針の第２受光部とを接続し、その結果、前記第２光源からの光が、前記第２受光部に光接続された前記指示針の出口を照明する請求項４の照明システム。
【請求項１１】
前記第２光源及び前記光源から与えられた光を制御可能に調整するべく構成された制御器をさらに含む請求項１０の照明システム。
【請求項１２】
前記指示針の受光部は、前記指示針のハウジング内に形成され、かつ、前記指示針の少なくとも一つの縁に沿った出口を有する導波路である請求項４の照明システム。
【請求項１３】
前記少なくとも一つの光ファイバはファイバの束を含み、
前記束の異なるファイバが光を前記指示針の異なる位置に与える請求項４の照明システム。
【請求項１４】
前記束の異なるファイバは異なる光源からの光を受ける請求項１３の照明システム。
【請求項１５】
前記異なる光源を異なる回数発光させるべく構成された制御器をさらに含み、その結果、前記制御器の制御ロジックに応じて前記指示針の異なる場所が照明される請求項１４の照明システム。
【請求項１６】
前記制御器は、前記指示針の位置が変化するにつれて、前記指示針の前記異なる場所を照明するように構成される請求項１５の照明システム。
【請求項１７】
前記指示針は、毎分回転数及び速度の少なくとも一つを示し、
毎分回転数又は速度が増大してしきい値を超えると前記制御器は、追加光源に前記指示針の追加部分を照明させる請求項１６の照明システム。
【請求項１８】
前記制御器は、前記指示針の位置が変化するにつれて、複数の前記光源を介して前記指示針の色を変化させるように構成される請求項１７の照明システム。
【請求項１９】
前記指示針の色は、速度又は毎分回転数がしきい値を超えるときに変化するように構成される請求項１８の照明システム。
【発明の詳細な説明】
【技術分野】
【０００１】
本開示は一般に車両の分野に関する。本開示は詳しくは、車両インストルメントパネルインジケータ又は他の車両インジケータに関する。
【０００２】
関連出願の相互参照
本願は、２０１２年７月１９日に出願された「Lighting System for a Pointer in a Vehicle」との名称の米国仮出願第６１／６７３，５５２号の利益及び優先権を主張する。その開示は全体がここに参照として組み入れられる。
【背景技術】
【０００３】
車両においてインストルメントパネルは、ユーザに情報を伝えるべく機械的インジケータ又は指示針を使用する。インジケータは例えば、車両の性能（例えば、車両速度、エンジン回転速度（ＲＰＭ）、タンク内の残留燃料パーセント等）に関連する。指示針は、（例えば、刻印、数値指標等を有する）ディスプレイ表面に対して動く。いくつかのインストルメントパネル又は他の車両ディスプレイにおいて、指示針及び／又はディスプレイパネルには照明を当てることができる。
【先行技術文献】
【特許文献】
【０００４】
【特許文献１】独国特許出願公開第１０  ２００４  ０３９７１９（Ａ１）号明細書
【特許文献２】特開昭５９−４０２０５号公報
【特許文献３】特開平０８−１３６２８６号公報
【特許文献４】特開昭４８−１２５２３号公報
【発明の概要】
【０００５】
本発明の一実施形態は、車両ディスプレイ用の照明システムに関する。照明システムは、光源と、当該光源から離間して配置された指示針と、当該光源及び当該指示針間に接続された少なくとも一つの光ファイバとを含む。
【０００６】
本発明の他実施形態は、車両ディスプレイ用の照明システムに関する。照明システムは、光源と、指示針と、当該光源及び当該指示針間に接続された少なくとも一つの光ファイバとを含む。照明システムはさらに、光源と指示針との間に、当該指示針が少なくとも一つの光ファイバを介してのみ光源からの光を受光するように位置決めされた光遮蔽を含む。
【０００７】
本発明の他実施形態は、車両ディスプレイ用の照明システムに関する。照明システムは、光源と、指示針と、当該光源及び当該指示針を接続する少なくとも一つの光ファイバとを含む。少なくとも一つの光ファイバの長さは、指示針の長さよりも長い。
【０００８】
本発明の他実施形態は、車両ディスプレイ用の照明システムに関する。照明システムは、光源と、指示針と、当該光源及び当該指示針を接続する少なくとも一つの光ファイバとを含む。少なくとも一つの光ファイバは、指示針が動いている間に撓むように位置決めされる。
【０００９】
本発明の他実施形態は、車両ディスプレイ用の照明システムに関する。照明システムは、受光部を有する指示針を含む。照明システムはさらに、光源と、当該光源に位置決めされたベースと、当該ベースに接続された第１端を有しかつ当該指示針に接続された第２端を有する少なくとも一つの光ファイバとを含む。ベースは、光源からの光を受光するべく少なくとも一つの光ファイバを保持する。指示針と少なくとも一つの光ファイバとの間の接続により、指示針の受光部に光がもたらされる。
【００１０】
照明システムはさらにモータ及びフレームを含む。フレームは、指示針によって動かされかつその動きのために当該指示針を支承する。モータとフレームとを結合するシャフトは少なくとも部分的に中空であり、かつ、少なくとも一つの光ファイバからの光が当該シャフトを通って送られる。シャフト内にはベースが保持され、モータの下には光源が位置決めされる。少なくとも一つの光ファイバは、シャフトを通り、かつ、指示針の受光部までフレームに沿って延びる。少なくとも一つの光ファイバは、シャフトを通り、かつ、フレーム内のキャビティを通って指示針の受光部まで延びる。少なくとも一つの光ファイバは、ガラス及びプラスチックの少なくとも一つである。少なくとも一つの光ファイバは、光吸収バッファ又はジャケット層を含み又はこれらに取り囲まれる。
【００１１】
いくつかの実施形態では、照明システムはさらに、第２光源、第２光ファイバ、及び指示針の第２受光部を含む。第２光ファイバは、第２光源と指示針の第２受光部とを接続する。その結果、第２光源からの光が、当該第２受光部に光接続された指示針の出口を照明する。照明システムはさらに、第２光源及び光源から与えられた光を制御可能に調整するべく構成された制御器を含む。
【００１２】
受光部は、指示針のハウジング内に形成され、かつ、指示針の少なくとも一つの縁に沿った出口を有する導波路である。少なくとも一つの光ファイバはファイバ束であり又はこれを含む。当該束の異なるファイバが光を指示針の異なる位置に与える。当該束の異なるファイバは異なる光源からの光を受ける。照明システムはさらに、異なる光源を異なる回数照明するべく構成された制御器も含む。その結果、制御器の制御ロジックに応じて指示針の異なる場所が照明される。制御器は例えば、指示針の位置が変化するにつれて、指示針のより大きな部分を照明するように構成される。指示針は例えば、毎分回転数及び速度の少なくとも一つを示し、毎分回転数又は速度が増大してしきい値を超えると制御器は、追加光源に指示針の追加部分を照明させる。制御器は、指示針の位置が変化するにつれて、複数の光源を介して指示針の色を変化させるように構成される。指示針の色は、速度又は毎分回転数がしきい値を超えるときに変化するように構成される。
【図面の簡単な説明】
【００１３】
本開示は、同じ参照番号が同じ要素を言及する添付図面と併せて以下の詳細な説明から十分に理解される。
【００１４】
【図１】一典型的実施形態に係るインストルメントパネルを含む車両の斜視図である。
【図２】一典型的実施形態に係る図１の車両の内装の詳細図である。
【図３】一典型的実施形態に係る複数の計器及び指示針を含む図１〜２のインストルメントパネルの詳細図である。
【図４】一典型的実施形態に係る指示針及びインストルメントパネルのアセンブリを含む照明アセンブリの詳細図である。
【図５】一典型的実施形態に係る図４の照明アセンブリの他の詳細図である。
【図６】一典型的実施形態に係る本開示の照明システムの模式図である。
【発明を実施するための形態】
【００１５】
図面を一般に参照して、様々な典型的実施形態に係る車両内装コンポーネントの指示針用の照明システムが示されかつ説明される。照明システムは、指示針の一部を照明するべく構成される。照明システムは少なくとも一つの光ファイバを含む。少なくとも一つの光ファイバは、指示針本体の外側又は指示針本体のベースにある光源から光を受光するべく構成される。光は、光ファイバを介して指示針本体の少なくとも一部（例えば光捕捉又は光誘導部）へと搬送される。
【００１６】
光源は発光ダイオード（ＬＥＤ）である。本開示に示される照明システムの構成は有利なことに、光源（例えばＬＥＤ、白熱電球等）が、指示針又は当該指示針が配置されるインストルメントパネルから、ある程度離れたところに配置されることを許容する。例えば、照明システムは、中心配置のＬＥＤアレイを含む。ＬＥＤアレイは、車両ディスプレイの様々な指示針の中に入る光ファイバの中に入れられる。ＬＥＤ自体は、ＬＥＤの効率及び寿命を改善するべく、温度制御環境内に配置されかつ光から密封されたケーシング内に存在する。
【００１７】
ここで図１を参照すると、車両１００の斜視図が示される。車両１００は一般に、インストルメントパネル１０２及び他の内装コンポーネント（例えば車両制御システム、オーバヘッドディスプレイ等）を含む。図２も参照すると、車両１００の内装が詳細に示される。インストルメントパネル１０２が、車両１００のダッシュボードに配置されるように示され、伝統的にはステアリングホイールの後ろに取り付けられる。車両１００の内装はさらに、車両制御システムディスプレイ１０４又はオーバヘッドディスプレイ１０６のような他の位置に配置されたディスプレイパネルも含む。
【００１８】
本開示は、車両インストルメントパネルコンポーネントの指示針用の照明システムを記載するが、その照明システムは、車両内の他の場所に配置される本発明の光ファイバ構成を有する指示針又は指示針に似たインジケータのために設けることができることも理解すべきである。例えば、指示針用の照明システムは、車両１００内の任意の場所に配置された車両制御システムディスプレイ１０４、オーバヘッドディスプレイ１０６若しくは他のディスプレイに、又はこれらの周辺に配置された指示針のために設けることができる。
【００１９】
ここで図３を参照すると、インストルメントパネル１０２の詳細図が示される。インストルメントパネル１０２は、車両性能の様々なインジケータ１０８ａ〜ｄを含むように示される。例えば、インストルメントパネル１０２は、車両１００の速度を指示する車両速度計１０８ａを含む。他例では、インストルメントパネル１０２は、エンジンの回転速度を指示するＲＰＭ計１０８ｂを含む。他例では、インストルメントパネル１０２は、車両１００のタンク内の燃料の量を指示する燃料計１０８ｃを含む。さらなる他例では、インストルメントパネル１０２は、エンジン冷却材の温度を指示する温度計１０８ｄを含む。インストルメントパネル１０２はさらに、車両の性能、統計又は設定を例示する様々な他の計器及びインジケータを含む。計器１０８ａ〜ｄはそれぞれ、車両１００のユーザ（例えば運転者）のために値を指示する指示針１１０ａ〜ｄを含む。計器１０８ａ〜ｄは円又は半円の目盛盤として示され、様々な実施形態において当該計器は、指示針を使用して情報を表示する任意の形状又はタイプを有する。指示針１１０ａ〜ｄの位置は、車両制御システム又は例えば図６に示される制御回路によって制御される。
【００２０】
ここで図４を参照すると、一典型的実施形態に係る指示針１１０及びインストルメントパネル１０２のアセンブリを含む照明アセンブリ１２０の詳細図が示される。照明アセンブリ１２０は、インストルメントパネル１０２の頂面に配置された指示針１１０の一部を、遠隔光源１３０を使用して照明するべく構成される。指示針１１０はインストルメントパネル１０２の頂面に配置されるように示されるが、他実施形態では指示針１１０は、インストルメントパネル１０２付近の他の場所に配置される。照明アセンブリ１２０は、指示針１１０を回転させ及び／又は回路基板１３２に電源を供給するモータ１２８と、指示針１１０をモータ１２８に結合するフレーム１２４と、回路基板１３２に結合された光源１３０とをさらに含むように示される。
【００２１】
指示針１１０は、光ファイバケーブル１２２を介して光源１３０（例えばＬＥＤ）に結合されるように示される。光ファイバケーブル１２２は、遠隔光源１３０から指示針１１０の受光部へ光を送る。光ファイバケーブル１２２は有利なことに、固体導波路を大々的に使用する必要なしに、光源１３０が指示針１１０から遠隔して配置されることを許容する。例えば、指示針１１０をモータ１２８に結合するフレーム１２４の全体は、指示針１１０に光を案内する導波路である必要がない。
【００２２】
一以上の光源が車両の中心位置に配置され、光ファイバケーブルが、指示針と当該指示針のために指定された一以上の光源との間に延びる。さらに、一つの実施形態では、単一の光源が、一を超える光ファイバケーブル及び指示針に光を与えるべく使用される。光ファイバの一以上が一つの指示針に光を与える一方、他の光ファイバが、他の指示針又は他のインストルメントパネル特徴部に光を搬送する。図４の実施形態において、光源１３０は、車両１００の回路基板１３２上に示され、かつ、モータ１２８の軸内に形成されたボアを貫通して設置される。モータ１２８によって動かされる軸は、一部が中空であり、かつ、光ファイバケーブル１２２を所定位置に保持するベース１２６を含む。光ファイバケーブル１２２は可撓性なので、指示針１１０の動きは有利には、照明システムの動作に与える影響が最小化される。
【００２３】
回路基板１３２が、モータ１２６の下方かつ指示針フレーム１２４の軸と同軸に単一の光源１３０を有するように示されるが、光ファイバケーブル１２２は、指示針１１０を他の位置の光源に結合するように使用されてよい。例えば、光源はモータ１２８から離間して（例えば軸を共有しないように）取り付けられてよい。光ファイバケーブル１２２は、当該ファイバが指示針１１０に対する任意の有効位置まで撓み得るように、十分な割り増し長さ又は動きの自由度を有して指示針１１０まで延びる。他実施形態では、モータ１２８の内側に示されるベース１２６は光源と置換され、自身が指示針１１０のための光源となる。
【００２４】
回路基板１３２は追加的に、図６に示されるように追加光源及び他の回路を含む。光源１３０は単一の光源（例えば単一のＬＥＤ）又は複数の光源の組み合わせ（例えばＬＥＤのアレイ）である。
【００２５】
図５も参照すると、照明アセンブリ１２０の他の詳細図が示される。これは、指示針１１０、光ファイバケーブル１２２及びベース１２６のみを例示する。光ファイバケーブル１２２は、光源に結合され、かつ、ベース１２６によって光源端の所定位置に保持される。ベース１２６は、光ファイバケーブル１２２の端を所定位置に保持するべく構成され、かつ、光源に光結合される。ベース１２６は、（図４に示すように）インストルメントパネル１０２を支持するべく構成されたフレーム１２４内に埋め込まれる。他実施形態では、ベース１２６及び光ファイバケーブル１２２のアセンブリはフレーム１２４から独立である。フレーム１２４はモータ１２８によって所定位置に保持される。他実施形態では、フレーム１２４のアセンブリとモータ１２８のアセンブリとは独立である。様々な他実施形態によれば、照明アセンブリ１２０は異なる（例えば、ベースがフレームの外側に配置され、又は、光源から指示針まで延びる光ファイバケーブルを支持する任意の他の方法が使用される）。
【００２６】
図４〜５の実施形態では、光ファイバケーブル１２２は、指示針１１０の底部に結合されかつこれに向けて誘導される。変形実施形態では、光ファイバケーブル１２２は、指示針１１０の他の部分又は表面に結合されかつこれらに向けて誘導される。様々な実施形態では、一を超える光ファイバケーブルが指示針に結合され（図６参照）、各光ファイバケーブルが、指示針内の異なる位置へと誘導される。光ファイバケーブルは、一以上のクリップを介して指示針又は車両ディスプレイの他構造に対して保持される。光ファイバケーブルはさらに又は代替的に、接着剤、チャネル、ブラケット又は他の結合機構を介して指示針又は車両ディスプレイの他構造に保持される。
【００２７】
指示針１１０は、外側ハウジング部１３４と、光ファイバケーブル１２２に光結合された内側部１３６とを含むように図示される。内側部１３６は、光ファイバケーブル１２２を指示針１１０内の光ガイドに結合かつ保持するクリップ、リッジ、フック、マウス、ネック又は他の締結コンポーネントを含む。内側部１３６は、インストルメントパネル１０２又は他のディスプレイ上で可視となる指示針１１０の縁又は点に光を誘導する幾何学形状を有する光ガイド又は導波路を形成する。内側部１３６は例えば透明なコアを含む。当該コアは、そのコアよりも屈折率が低いコーティング又はクラッディング材料によって取り囲まれる。光ガイドは指示針１１０内に位置決めされ、一以上の位置において当該指示針の外へと光を誘導する。光が外へと誘導される位置は、一典型的実施形態に係るハウジング部１３４によって画定される。
【００２８】
ここで図６を参照すると、照明システム２００の模式図が詳細に示される。照明システム２００は一般に回路基板２０２を含む。回路基板２０２は、複数の光源２０６ａ〜ｅを制御する制御回路２０４を含む。光源２０６ａ〜ｅは例えば、一アレイのＬＥＤである。光源２０６ａ〜ｅは、光ファイバケーブル２１０ａ〜ｆを介して複数の指示針２０８ａ〜ｅに結合される。指示針２０８ａ〜ｅは、車両の同じ又は異なる内装コンポーネントに配置される。
【００２９】
制御回路２０４は、各光源２０６ａ〜ｅを別々に駆動するべく構成されたロジックを含む。例えば、制御回路２０２は各光源に対し、光の強度、光のオン若しくはオフ、又は光の色を同時に調整するべく構成される。換言すれば、制御回路２０２は、制御された及び異なる方法で複数の指示針２０８ａ〜ｅに対して選択的に光を放出するように構成される。
【００３０】
制御回路２０４は、エンジン制御ユニット又は車両データバスから、例えば、モータＲＰＭ、車両速度、車両タンク内の燃料残量、又は他の車両データに関連する車両入力２１４を受信する。制御回路２０４はさらに、車両内の他の制御回路から、指示針のアクティビティに関連するディスプレイ入力２１６も受信する。指示針状態のいくつかは例えば、受信された車両入力よりもむしろ、受信されたディスプレイ入力から得られる。ディスプレイ入力の一例は、指示針の色、輝度、移動位置、又は他の指示針状態に関連する指令（ユーザが生成又は車両制御システムが生成する）である。入力２１４、２１６は、有線又は無線接続を介して当該入力を受信するべく構成された入力インタフェイス２１２において受信される。
【００３１】
制御回路２０４は一般に、プロセッサ及びメモリを含む。プロセッサは、汎用プロセッサ、特定用途向け集積回路（ＡＳＩＣ）、一以上のフィールド・プログラマブル・ゲート・アレイ（ＦＰＧＡ）、一群の処理コンポーネント、又は他の適切な電子処理コンポーネントとして実装される。メモリは、本開示に記載の様々なプロセス又はステップを完了及び／又は促すデータ及び／又はコンピュータコードを記憶する一以上のデバイス（例えば、ＲＯＭ、ＲＡＭ、フラッシュメモリ、ハードディスク記憶装置等）である。メモリは揮発性メモリ又は不揮発性メモリであり又はこれらを含む。メモリは、ここに記載の様々なアクティビティをサポートするデータベースコンポーネント、オブジェクトコードコンポーネント、スクリプトコンポーネント、又は他の任意タイプの情報構造を含む。メモリは、プロセッサに通信可能に接続され、ここに記載のプロセスを実行するコンピュータコードを含む。
【００３２】
制御回路２０４は、入力インタフェイス２１２において受信された入力２１４、２１６を使用して、各光源２０６ａ〜ｅのための適切な照明状態を決定する。指示針が動くと、対応する光源は、変化する車両状態を明確に特定するべく強度が変化する。例えば、車両速度が増大して一定のしきい値（例えば７０ｍｐｈ）を超えると、制御回路２０４によって速度計指示針２０８ａの新たな部分が照明され、光源２０６ａの強度が変わることで高速度が示される。様々な典型的実施形態では、しきい値は、車両制御システムに示されるグラフィカルユーザインタフェイスを介してユーザが設定することができるか又はプリセット値である。
【００３３】
他例として、指示針２０８ｂが、低燃料のような車両の潜在的な問題を示す場合、対応する光源２０６ｂがオン及びオフされて指示針２０８ｂが点滅するように構成される。さらなる他例として、車両が夜間に運転される場合、そのように示される入力が制御回路２０４によって使用され、光源２０６ａ〜ｅを介して各指示針２０８ａ〜ｅに追加的な光が与えられる。光ファイバケーブルの使用により、有利なことに、高分解能の指示針照明が得られる。
【００３４】
本開示に記載の光源は、指示針を照明する十分な光を放出するべく構成された任意の適切なデバイスである。例えば、ＬＥＤ、白熱電球又は蛍光灯である。一つの実施形態において回路基板２０２は、実質的に同じ色及び／又は強度を有する（例えば同じ箱から選択される）光源を使用して製造される。その結果、被照明表面（例えば指示針）は、一領域（例えばインストルメントパネル）におけるすべての被照明表面にわたって実質的に均一の光を与える。他実施形態において光源は、様々な色及び／又は強度を有し、当該領域における被照明表面にわたって様々な照明設定を与える。回路基板２０２は、インストルメントパネル領域のような閉じられた構造物と比べて当該基板の寸法を収容するのに十分な余地を有する構造物内に置かれる。
【００３５】
わかることだが、照明システム２００について指示針及び光源の様々な組み合わせを実装することができる。例えば、図６に示される実施形態では、２つの光源２０６ｃ、２０６ｄが、２つの対応する光ファイバケーブル２１０ｃ、２１０ｄを介して単一の指示針２０８ｃに光を与えることができる。他例では、単一の光源２０６ｅからの光を、複数の光ファイバケーブル２１０ｅ、２１０ｆを介して複数の指示針２０８ｄ、２０８ｅに与えることができる。照明システム２００は、任意数の指示針、光源及び光ファイバケーブルを含む。
【００３６】
複数の光源は、単一の指示針に光を与えるべく構成される。かかる構成を使用して様々なタイプの光が指示針に与えられる。例えば、２つの光源が異なる色であれば、指示針に与えられる光が２つの色で交互に生じ又は２つの色の混合となる。他例では、２つの光源が、指示針に様々な光効果（例えば白熱光、点滅光、強度変動光等）を与える。さらなる他例では、光源は、赤色、緑色及び青色光要素の組み合わせを介して様々な色を発光するべく構成された三色ＬＥＤであって多色光を指示針に与える。
【００３７】
一つの実施形態では、単一指示針のための２つ（以上）の光源がそれぞれ、指示針の一部に与えられる。例えば、指示針の上部、下部、左部、右部等の部分が、他の部分とは異なる光源を有する。光ファイバケーブルが指示針の異なる部分に結合され、当該異なる部分の様々な照明が与えられる。各光ファイバケーブルが異なる光源に結合される。
【００３８】
一つの実施形態では、単一指示針のための２つ（以上）の光源がそれぞれ、当該指示針に与えられる。当該光源の一つが、指示針に白熱効果を与える一方、他光源がディスプレイ用の標準的な光を与える。他実施形態では、２以上の光源が２以上の別個の色であり、かつ、光ファイバケーブルが指示針に光結合される。その結果、一方の色が指示針の主要ディスプレイ色となり、他方の色が背景又は重ね合わせの色となる。わかることだが、ここに記載の照明アセンブリは、本開示の範囲から逸脱することなく、任意数の光源、光ファイバケーブル及び指示針を含むように調整することができる。
【００３９】
本開示の光ファイバケーブルは、任意タイプの光ファイバケーブルである。光ファイバケーブルは、ガラス又はプラスチックから作られ、かつ、ポリマーによってコーティングされた任意数のクラッディング層を有する。
【００４０】
様々な典型的実施形態に示されるシステム及び方法の構成及び配列は例示にすぎない。わずかな実施形態のみが本開示において詳細に説明されたが、多くの修正が可能である（例えば、様々な要素のサイズ、寸法、構造、形状及び比率、パラメータ値、取り付け配列、材料、色、配向等の使用のバリエーション）。例えば、要素の位置は反転又は変更することができる。別個の要素の性質及び数も代替又は変更することができる。したがって、かかる変更はすべて、本開示の範囲内に含まれることが意図される。任意のプロセス又は方法ステップの順序又は配列は、代替の実施形態に応じて変更又は再配列することができる。他の置換、修正、変更及び省略を、本開示の範囲から逸脱することなく、典型的実施形態の設計、動作条件及び配列で行うことができる。
【００４１】
本開示は、様々な動作を達成する目的の任意の機械可読媒体における方法、システム及びプログラム製品を企図する。本開示の実施形態は、既存のコンピュータプロセッサを使用して、又は、本目的又は他の目的のために組み入れられた適切なシステムのための専用コンピュータプロセッサによって、若しくは、ハードワイヤードシステムによって、実装することができる。本開示の範囲内の実施形態は、機械実行可能命令又はデータ構造を担持又は記憶する機械可読媒体を含むプログラム製品を含む。かかる機械可読媒体は、プロセッサを備えた汎用若しくは専用コンピュータ又は他の機械がアクセスできる任意の利用可能な媒体であり得る。例えば、かかる機械可読媒体は、ＲＡＭ、ＲＯＭ、ＥＰＲＯＭ、ＥＥＰＲＯＭ、ＣＤ−ＲＯＭ、若しくは他の光ディスク記憶装置、磁気ディスク記憶装置若しくは他の磁気記憶装置、又は、機械実行可能命令若しくはデータ構造の形態にある所望のプログラムコードを担持若しくは記憶するべく使用可能な、かつ、プロセッサを備えた汎用若しくは専用コンピュータ若しくは他の機械によってアクセス可能な他の任意の媒体を含むことができる。上記組み合わせもまた、機械可読媒体の範囲内に含まれる。機械実行可能命令は例えば、汎用コンピュータ、専用コンピュータ、又は専用処理機械に一定の機能又は一群の機能を行わせる命令及びデータを含む。ソフトウェア実装は、様々な接続ステップ、処理ステップ、比較ステップ及び決定ステップを達成するためのルールベースのロジック及び他のロジックを備えた標準的なプログラミング技術によって達成することができる。
【図１】
0006272856.tif 000002
【図２】
0006272856.tif 000003
【図３】
0006272856.tif 000004
【図４】
0006272856.tif 000005
【図５】
0006272856.tif 000006
【図６】
0006272856.tif 000007